(57)【要約】      （修正有）【課題】結合時に一つのコネクタがそれと結合するコネクタとラッチすることができるコネクタ・ラッチング・フック装置の提供。【解決手段】コネクタ１００及び対応するコネクタが完全なラッチング効果を達成するために、押圧部１１１、ばねユニット１２及び２個の弾力性のあるラッチング部材１３を備える弾力性のある滑動ユニット１０をコネクタ１００内に配置することによって、コネクタ・ラッチング・フック装置用の改良された構造を開示する。滑動キー１１は、延びて弾力性のあるラッチング部材１３に接触するとともに、ばねユニット１２に接続された押圧部１１１を有し、弾力性のあるラッチング部材１３は、中央の押圧部１３２、一端のフック部１３１及びフック部１３１を自由端として前記コネクタ１００内に締結される他端の締結部１３３を有し、滑動キー１１を押圧することによって、押圧部及びフック部が一体的に動いてフック部をその位置へ移動させる。【選択図】図２
0003115841.tif 000002
【実用新案登録請求の範囲】
【請求項１】
弾力性のある滑動ユニット、筐体、金属製ケース、上部カバー、下部カバー及び張力緩和部を備え、前記弾力性のある滑動ユニットは、滑動キー、ばねユニット及び２個の弾力性のあるラッチング部材を備え、且つ前記滑動キーの上面に押圧部を有するとともに滑動キーの側面に当接部を有し、前記ばねユニットは、前記上部カバーの保持溝内に配置されるとともに前記当接部に組み付けられ、前記弾力性のあるラッチング部材は、その一端にフック部を有し、他端に曲げられた締結部を有し、且つ中央に押圧部を有するコネクタ・ラッチング・フック装置用の改良された構造。
【請求項２】
前記弾力性のあるラッチング部材は、前記筐体の２つの側面に配置された溝内に配置され、前記フック部が前記筐体の前部の孔から出て延びるとともに、前記締結部が前記筐体の後面の締結溝内に固定され、前記ラッチング部材の押圧部が前記金属製ケースに配置された長い溝を通過して前記滑動キーに当接する請求項１に記載のコネクタ・ラッチング・フック装置用の改良された構造。
【請求項３】
前記ラッチング部材の押圧部は、直角に設計された一端と、傾斜するように設計された他端とを有する請求項１に記載のコネクタ・ラッチング・フック装置用の改良された構造。
【請求項４】
前記ばねユニットが任意の種類の可撓性及び弾力性のあるユニットである請求項１に記載のコネクタ・ラッチング・フック装置用の改良された構造。
【請求項５】
前記筐体は、その中央に仕切り板を有するとともに、該仕切り板の前方に挿入部を有し、且つ後部が端子を収容するための保持部であり、更に該保持部の２つの側縁に溝をそれぞれ有し、前記挿入部の２つの側面に孔をそれぞれ有し、前記筐体の後面に締結溝を有し、及び前記筐体の上面及び下面に複数の位置決めタブをそれぞれ有する請求項１に記載のコネクタ・ラッチング・フック装置用の改良された構造。
【請求項６】
前記金属製ケースは、上部ケース及び下部ケースを備えるとともに、該上部ケース及び下部ケースに複数の位置決め溝をそれぞれ有する請求項１に記載のコネクタ・ラッチング・フック装置用の改良された構造。
【請求項７】
前記位置決め溝が前記筐体に配置された前記位置決めタブとラッチする請求項６に記載のコネクタ・ラッチング・フック装置用の改良された構造。
【請求項８】
前記上部ケースは、その位置決め溝の２つの側面に長い溝を有するとともに、前記上部ケースの２つの側面に複数の締結溝及び弾力性のある断片を有し、前記下部ケースは、前記締結溝とラッチする締結片を有し、前記弾力性のある断片は前記下部ケースに当接するためのものであり、前記下部ケースの後部に曲げられた保持片が延びている請求項６に記載のコネクタ・ラッチング・フック装置用の改良された構造。
【請求項９】
前記上部及び下部カバーは、前記金属製ケースの外側を囲み、それらの後面に、前記張力緩和部の後面に締結板を配置するための凹状の溝をそれぞれ有し、前記上部カバーに開口を有し、該開口の後面に前記ばねユニットの動作のための保持溝を有し、前記上部カバーの側縁に固定フックを有し、及び該固定フックに位置決め孔を有し、前記下部カバーは、上部カバーの相補的なデザインであり、前記下部カバーの側縁に、前記上部カバーの固定フックに係合する固定孔と、前記上部カバーの位置決め孔と結合する位置決め柱とをそれぞれ有し、前記位置決め孔と結合する位置決め柱、及び前記固定孔に係合する固定フックを用いて、前記上部カバー及び下部カバーが一体物として形成される請求項１に記載のコネクタ・ラッチング・フック装置用の改良された構造。
【請求項１０】
対応するコネクタに結合するためのコネクタ内の弾力性のある滑動ユニットを有し、該弾力性のある滑動ユニットが、滑動キー、ばねユニット及び２個の弾力性のあるラッチング部材を備え、前記滑動キーが延びて前記弾力性のあるラッチング部材と接触し、滑動キーが前記ばねユニットに接続された押圧部を有し、前記弾力性のあるラッチング部材は、その中央に押圧部を有し、一端にフック部を有するとともに、該フック部を自由端として前記コネクタ内に締結されている他端の締結部をそれぞれ有し、前記滑動キーを押圧することによって、前記ラッチング部材の押圧部及びフック部が一体的に動いてフック部をその位置へ移動させるコネクタ・ラッチング・フック装置用の改良された構造。
【考案の詳細な説明】
【技術分野】
【０００１】
本考案はコネクタのラッチング構造に関し、具体的にはラッチング・フックをシフト位置へ動かすべく、押圧様式で押圧部を使用するコネクタのラッチング構造に関する。
【背景技術】
【０００２】
技術の進歩とともに電子関連製品は毎日更新されており、様々な新技術が電子関連製品のあらゆる分野に適用され、伝送インターフェースの開発でも驚くべきことである。近年、ユニバーサル・シリアル・バス（ＵＳＢ）、デジタル・ビデオ・インターフェース（ＤＶＩ）、及び高解像度マルチ・メディア（ＨＤＭＩ）等の様々な伝送インターフェースが一般の人々に次々と提示されており、これらのインターフェースに適応されたコネクタ製品もまた、次々と現れている。前述の様々なコネクタは、伝送速度と内容の多様性とに加えて、使用の際の望ましくない理由での取り外しに対する接続安定性を増加させるために、接続安定性には厳格である。接続部にラッチング・フックを備えるコネクタが特許文献１等に開示されており、図４に示すように、特許文献１は、絶縁筐体Ａ、押圧ストリップＢ、プラスチック保護カバーＣ、弾力性のあるラッチング部材Ｄ及び接合外殻Ｅ等を中に備えるＨＤＭＩコネクタを開示している。絶縁筐体Ａは、弾力性のあるラッチング部材Ｄを保持及び締結するための貫通溝及び締結溝を有し、弾力性のあるラッチング部材Ｄは押圧ストリップＢによって締結されている。絶縁筐体Ａは、プラスチック保護カバーＣの上面にばね片Ｃ１を有するとともに、接合外殻Ｅの上面における２つの辺に貫通孔Ｅ１を有する。ばね片Ｃ１は、弾力性のあるラッチング部材Ｄの本体の突起Ｄ１に当接するように下方へ押圧され、次に、弾力性のあるラッチング部材Ｄは、コネクタの差込操作又は引き抜き操作を制御すべく、返しＤ２を貫通孔Ｅ１内に沈めるために下方へ移動される。
【０００３】
実際には、上述の構造は、コネクタが使用される際に安定性を達成するという利点を有するが、弾力性のあるラッチング部材がツーピース構造で設計されており、それらの機能を達成するために同時に下方へ押圧される必要がある。従って、弾力性のあるラッチング部材の本体の突起に対して当接するばね片を同時に押圧するためには比較的強い力が必要であり、２個の突起の接触表面は、ばね片を容易に摩耗させるには小さすぎることから、ばね片が摩耗した後に所定の機能を達成するために、より強い力が必要とされる。更に、２個の弾力性のあるラッチング部材を一緒に押し下げるために、ばね片の中央に力が加えられなければならず、力が左右に偏向した場合、一方の弾力性のあるラッチング部材が押し下げられるものの他方が完全に押し下げられることができず、使用に不都合を生じさせる。
【特許文献１】台湾特許出願第９３２０５４５８号
【考案の開示】
【考案が解決しようとする課題】
【０００４】
本考案の主な目的は、結合時に一つのコネクタがそれと結合するコネクタとラッチすることができるように、コネクタの押圧部が押圧様式でラッチング・フックを上方及び下方へ移動させるコネクタ・ラッチング・フック装置用の改良された構造を提供することにある。
【０００５】
本考案の別の目的は、コネクタ・ラッチング構造の弾力性のあるラッチング部材が一体様式であり、コネクタ挿入部の２つの側面上のラッチング・フックが同時に移動することを確実にするために、ラッチング・フックの一方が下方へ押圧されるものの他方が下方へ完全に押圧されないことを回避することが可能なコネクタ・ラッチング・フック装置用の改良された構造を提供することにある。
【課題を解決するための手段】
【０００６】
上記の目的を達成するために、請求項１に記載の考案は、弾力性のある滑動ユニット、筐体、金属製ケース、上部カバー、下部カバー及び張力緩和部を備え、前記弾力性のある滑動ユニットは、滑動キー、ばねユニット及び２個の弾力性のあるラッチング部材を備え、且つ前記滑動キーの上面に押圧部を有するとともに滑動キーの側面に当接部を有し、前記ばねユニットは、前記上部カバーの保持溝内に配置されるとともに前記当接部に組み付けられ、前記弾力性のあるラッチング部材は、その一端にフック部を有し、他端に曲げられた締結部を有し、且つ中央に押圧部を有するコネクタ・ラッチング・フック装置用の改良された構造を提供する。
【０００７】
請求項２に記載の考案は、前記弾力性のあるラッチング部材が、前記筐体の２つの側面に配置された溝内に配置され、前記フック部が前記筐体の前部の孔から出て延びるとともに、前記締結部が前記筐体の後面の締結溝内に固定され、前記ラッチング部材の押圧部が前記金属製ケースに配置された長い溝を通過して前記滑動キーに当接する請求項１に記載のコネクタ・ラッチング・フック装置用の改良された構造を提供する。
【０００８】
請求項３に記載の考案は、前記ラッチング部材の押圧部が、直角に設計された一端と、傾斜するように設計された他端とを有する請求項１に記載のコネクタ・ラッチング・フック装置用の改良された構造を提供する。
【０００９】
請求項４に記載の考案は、前記ばねユニットが任意の種類の可撓性及び弾力性のあるユニットである請求項１に記載のコネクタ・ラッチング・フック装置用の改良された構造を提供する。
【００１０】
請求項５に記載の考案は、前記筐体が、その中央に仕切り板を有するとともに、該仕切り板の前方に挿入部を有し、且つ後部が端子を収容するための保持部であり、更に該保持部の２つの側縁に溝をそれぞれ有し、前記挿入部の２つの側面に孔をそれぞれ有し、前記筐体の後面に締結溝を有し、及び前記筐体の上面及び下面に複数の位置決めタブをそれぞれ有する請求項１に記載のコネクタ・ラッチング・フック装置用の改良された構造を提供する。
【００１１】
請求項６に記載の考案は、前記金属製ケースが、上部ケース及び下部ケースを備えるとともに、該上部ケース及び下部ケースに複数の位置決め溝をそれぞれ有する請求項１に記載のコネクタ・ラッチング・フック装置用の改良された構造を提供する。
【００１２】
請求項７に記載の考案は、前記位置決め溝が前記筐体に配置された前記位置決めタブとラッチする請求項６に記載のコネクタ・ラッチング・フック装置用の改良された構造を提供する。
【００１３】
請求項８に記載の考案は、前記上部ケースが、その位置決め溝の２つの側面に長い溝を有するとともに、前記上部ケースの２つの側面に複数の締結溝及び弾力性のある断片を有し、前記下部ケースが、前記締結溝とラッチする締結片を有し、前記弾力性のある断片は前記下部ケースに当接するためのものであり、前記下部ケースの後部に曲げられた保持片が延びている請求項６に記載のコネクタ・ラッチング・フック装置用の改良された構造を提供する。
【００１４】
請求項９に記載の考案は、前記上部及び下部カバーが、前記金属製ケースの外側を囲み、それらの後面に、前記張力緩和部の後面に締結板を配置するための凹状の溝をそれぞれ有し、前記上部カバーに開口を有し、該開口の後面に前記ばねユニットの動作のための保持溝を有し、前記上部カバーの側縁に固定フックを有し、及び該固定フックに位置決め孔を有し、前記下部カバーは、上部カバーの相補的なデザインであり、前記下部カバーの側縁に、前記上部カバーの固定フックに係合する固定孔と、前記上部カバーの位置決め孔と結合する位置決め柱とをそれぞれ有し、前記位置決め孔と結合する位置決め柱、及び前記固定孔に係合する固定フックを用いて、前記上部カバー及び下部カバーが一体物として形成される請求項１に記載のコネクタ・ラッチング・フック装置用の改良された構造を提供する。
【００１５】
請求項１０に記載の考案は、対応するコネクタに結合するためのコネクタ内の弾力性のある滑動ユニットを有し、該弾力性のある滑動ユニットが、滑動キー、ばねユニット及び２個の弾力性のあるラッチング部材を備え、前記滑動キーが延びて前記弾力性のあるラッチング部材と接触し、滑動キーが前記ばねユニットに接続された押圧部を有し、前記弾力性のあるラッチング部材は、その中央に押圧部を有し、一端にフック部を有するとともに、該フック部を自由端として前記コネクタ内に締結されている他端の締結部をそれぞれ有し、前記滑動キーを押圧することによって、前記ラッチング部材の押圧部及びフック部が一体的に動いてフック部をその位置へ移動させるコネクタ・ラッチング・フック装置用の改良された構造を提供する。
【考案を実施するための最良の形態】
【００１６】
本考案の構造及び技術的な特徴が当業者に対してより明らかになるように、以下の添付図面とともに詳細な説明を示す。
図１及び２に示すように、本考案のコネクタ１００は、弾力性のある滑動ユニット１０、筐体２０、金属製ケース３０、上部カバー４０、下部カバー４１及び張力緩和部５０を備える。
【００１７】
その中で、弾力性のある滑動ユニット１０は、滑動キー１１、ばねユニット１２及び２個の弾力性のあるラッチング部材１３を備えるとともに、滑動キー１１の上面に押圧部１１１を有し、滑動キー１１の側面に突出した当接部１１２を有する。当接部は、前後に滑動可能な滑動ユニットを形成するために、ばねユニット１２に結合することができる。ばねユニット１２は、弾性的に伸縮するユニットである。弾力性のあるラッチング部材１３は、その前部にフック部１３１を有するとともに、滑動ユニットに接触する押圧部１３２を中央に有する。押圧部１３２は、その一端が直角に設計されるとともに他端が傾斜するように設計され、これは直線状の動作に好都合である。弾力性のあるラッチング部材１３の後部は、Ｕ字状に曲げられた締結部１３３である。
【００１８】
筐体２０は、その中央に構造を仕切るための仕切り板２２を有し、筐体２０において仕切り板２２の前方に挿入部２１を有する。筐体２０の後部は、端子２３を収容するための保持部である。筐体２０は、保持部の２つの側縁に、弾力性のあるラッチング部材１３の押圧部１３２を配置するための溝２０１をそれぞれ有し、挿入部２１の２つの側面に、弾力性のあるラッチング部材１３のフック部１３１を配置するための孔２１１をそれぞれ有する。弾力性のあるラッチング部材１３の締結部１３３は、筐体２０の保持部の後面の締結溝２３１内に固定され、その上、筐体２０は、仕切り板２２と隣接する上面及び下面に、金属製ケース３０の位置決め溝３１１、３２１に結合するために使用される複数の位置決めタブ２０２をそれぞれ有する。
【００１９】
金属製ケース３０は筐体２０の後部の周囲を囲み、上部ケース３１及び下部ケース３２を備える。上部及び下部ケース３１、３２は全てｎ字状の物体であり、上部及び下部ケース３１、３２の上面に複数の位置決め溝３１１、３２１をそれぞれ有し、それを通って弾力性のあるラッチング部材１３の押圧部１３２が示され、且つ滑動キー１１に当接可能な長い溝３１２をそれぞれ有する。その上、上部ケース３１はその２つの側面に複数の締結溝３１３を有し、上部ケース３１の２つの側面の縁部と締結溝３１３との間に、下部ケース３２に当接するための弾力性のある断片３１４をそれぞれ有する。一方、下部ケース３２はその２つの側面の対応する位置に、締結溝３１３と係合可能な締結片３２３をそれぞれ有し、下部ケース３２の後面に、張力緩和部５０から延びたケーブルを挟むための保持片３２２も有する。
【００２０】
上部カバー４０及び下部カバー４１は、金属製ケース３０の外側を囲み、それらの後面に、張力緩和部５０の後面に締結板５１を配置するための凹状の溝４１１をそれぞれ有し、上部カバー４０に滑動キー１１が滑動するための開口４０２を有し、開口４０２の後面に、ばねユニット１２を含むことができ、且つばねユニット１２が移動するための空間を提供する保持溝４０３を有し、上部カバー４０の側縁に固定フック４０４を有し、且つ固定フック４０４に位置決め孔（図示せず）を有する。下部カバー４１は上部カバー４０の相補的なデザインであり、下部カバー４１の対応する位置に、上部カバー４０の固定フック４０４に係合可能な固定孔４１４と、上部カバー４０上の位置決め孔（図示せず）に結合可能な位置決め柱４１５とを有する。位置決め孔（図示せず）と正確に結合する位置決め柱４１５、及び固定孔４１４に安定して係合する固定フック４０４を用いて、上部カバー４０及び下部カバー４１が厳密に一体物として形成される。
【００２１】
組み立ての際、最初に弾力性のあるラッチング部材１３が筐体２０の２つの側面に配置された溝２０１内に挿入され、フック部１３１が筐体２０の前部の孔２１１から出て延びるとともに、弾力性のあるラッチング部材１３の締結部１３３が、筐体２０の後部の締結溝２３１内に固定される。次に、上部及び下部ケース３１、３２が筐体２０の後部の周囲を囲み、上部及び下部ケース３１、３２の上面の位置決め溝３１１、３２１が、位置決め効果を達成するために筐体２０の位置決めタブ２０２に係合し、上部ケース３１の２つの側面の締結溝３１３が下部ケース３２の締結片３２３とラッチし、弾力性のある締結片３１４が下部ケース３２に当接し、弾力性のあるラッチング部材１３の押圧部１３２が長い溝３１２から延びる。ここで、筐体２０は、上部及び下部ケース３１、３２によって安定して囲まれる。次に、ばねユニット１２が滑動キー１１の側縁の当接部１１２上に配置され、滑動キー１１及びばねユニット１２は、上部カバー４０の対応する開口４０２及び保持溝４０３内にそれぞれ配置される。このとき、上部カバー４０の固定フック４０４は、下部カバー４１の対応する固定孔４１４に固定されることができ、位置決め柱４１５は、対応する位置決め孔内に挿入されることができる。張力緩和部５０の締結板５１は、上部及び下部カバー４０、４１の凹状の溝４１１内に配置される。最後に、上部及び下部カバー４０、４１が一体構造を形成するために押圧されてコネクタ１００の組み立てが終了する。
【００２２】
本考案の好適な実施形態の断面図である図３を参照する。好適な実施形態の適用方法は以下のとおりである。コネクタ１００が組み立てられた後、弾力性のあるラッチング部材１３の押圧部１３２が自然に滑動キー１１に当接する。コネクタ１００が対応するソケットのコネクタ（図示せず）内に差し込まれる際、コネクタ１００内へ差し込み、且つフック部１３１が対応するソケットのコネクタ上の溝（図示せず）に自動的に固定され、従って、２つのコネクタが完全に接続される。コネクタ１００が引き抜かれる際、滑動キー１１を後方へ押すと、押圧部１３２の傾斜した先端が押し込まれ、押圧部１３２が弾力的に下方へ移動し、このことがフック部１３１を結合するソケットのコネクタの溝から離れるように一緒に下方へ移動させ、従って、コネクタ１００が容易に引き抜かれる。フック部１３１が外れると、滑動キー１１は、ばねユニット１２の力によって最初の位置へ自動的に跳ね戻り、押圧部１３２及びフック部１３１もそれぞれその最初の位置へ戻る。
【００２３】
本考案において開示された実施形態の構造は単に例示に過ぎず、本考案の範囲を限定するものではない。本考案の精神から逸脱せずに本考案の説明を介して当業者によって行われる変更又は修正は本考案の類似の構造とみなされ、本願の実用新案登録請求の範囲によってカバーされる。
【図面の簡単な説明】
【００２４】
【図１】本考案の好適な実施形態の斜視図。
【図２】本考案の好適な実施形態の分解斜視図。
【図３】本考案の好適な実施形態の側部断面図。
【図４】既知の電気コネクタの分解斜視図。
【符号の説明】
【００２５】
１０…滑動ユニット、１１…滑動キー、１２…ばねユニット、１３…ラッチング部材、２０…筐体、２１…挿入部、２２…仕切り板、２３…端子、３０…金属製ケース、３１…上部ケース、３２…下部ケース、４０…上部カバー、４１…下部カバー、５０…張力緩和部、５１…締結板、１００…コネクタ、１１１…押圧部、１１２…当接部、１３１…フック部、１３２…押圧部、１３３…締結部、２０１…溝、２０２…位置決めタブ、２１１…孔、２３１…締結溝、３１１、３２１…位置決め溝、３１２…長い溝、３１３…締結溝、３１４…弾力性のある断片、３２２…保持片、３２３…締結片、４１１…凹状の溝、４０２…開口、４０３…保持溝、４０４…固定フック、４１４…固定孔、４１５…位置決め柱。
【図１】
0003115841.tif 000003
【図２】
0003115841.tif 000004
【図３】
0003115841.tif 000005
【図４】
0003115841.tif 000006